(57)【要約】【課題】配線ダクトシステムを電力線に用いた電力線通信システムであって、電気機器を、配線ダクト上の通信機器の通信経路間に取り付けた場合おいて、通信信号が電気機器に流れることを抑制することにより、通信機器間に流れる通信信号の減衰を抑制することのできる電力線通信システムを提供する。【解決手段】通信経路途上に電気機器３が接続されているため、接続部１１，１２が、通信経路の分岐となっている。この分岐をバイパスするための信号バイパス部材４が、電気機器に対して電力供給配線１３の１極ごとに１つずつ２箇所に設けられている。信号バイパス部材４は電気機器３が接続される配線上の箇所を挟む前後２点の接続点４１および接続点４２にそれぞれ接続される。また、通信信号が通過するとともに電力電流は通過しない電力電流不導部材としてのコンデンサ４３を、この信号バイパス部材４は有している。【選択図】図１
2009272963.tif 000002
【特許請求の範囲】
【請求項１】
電力供給を受ける電気機器と、通信信号を送受信するための複数の通信機器と、前記電気機器および前記複数の通信機器を任意の位置に接続することが可能であるとともに、前記電気機器に電力を供給するための電力供給配線を内蔵した配線ダクトを有する電力線通信システムであって、
前記電気機器が配線ダクトに接続される箇所を、前記通信信号がバイパスするための信号バイパス部材を備えることを特徴とする電力線通信システム。
【請求項２】
前記信号バイパス部材は、前記通信信号がバイパスするための経路となるケーブル配線と、
前記ケーブル配線を前記配線ダクトに接続するダクト用ケーブル接続プラグとを備えることを特徴とする請求項１に記載の電力線通信システム。
【請求項３】
前記信号バイパス部材は、前記通信信号がバイパスするための経路となるとともに配線ダクトと同様の構成を有するバイパス配線ダクトと、
前記バイパス配線ダクトを前記配線ダクトに接続するダクト連結具とを備えることを特徴とする請求項１に記載の電力線通信システム。
【請求項４】
前記信号バイパス部材は、前記通信信号が通過するとともに電力電流は通過しない電力電流不導部材を備えることを特徴とする請求項１〜３のいずれか１項に記載の電力線通信システム。
【請求項５】
前記通信信号が所定の周波数帯域の交流で通信されており、
前記信号バイパス部材が接続されている箇所間の前記電力供給配線の前記周波数帯域におけるインピーダンスが、前記信号バイパス部材の前記周波数帯域におけるインピーダンスに比して高くなるようにするためのインピーダンスアッパが、前記配線ダクトの通信信号がバイパスされる区間に備えられていることを特徴とする請求項１〜４のいずれか１項に記載の電力線通信システム。
【請求項６】
電力供給を受ける電気機器と、通信信号を送受信するための複数の通信機器と、
前記電気機器および前記複数の通信機器を任意の位置に接続することが可能であるとともに、前記電気機器に電力を供給するための複数の電力供給配線を内蔵した配線ダクトと、
前記電力供給配線のうち1つの電力供給配線と他の電力供給配線とを接続する電力供給配線接続器具とを備え、
前記電気機器が配線ダクトに接続される箇所を前記通信信号がバイパスするための信号バイパス経路が、前記他の電力供給配線と前記電力供給配線接続器具とによって構成されることを特徴とする電力線通信システム。
【請求項７】
前記信号バイパス経路内に、前記通信信号が通過するとともに電力電流は通過しない電力電流不導部材を備えることを特徴とする請求項６に記載の電力線通信システム。
【請求項８】
前記通信信号が所定の周波数帯域の交流で通信されており、
前記信号バイパス経路の前記周波数帯域におけるインピーダンスに比して、
バイパスされた前記電力供給配線の前記周波数帯域におけるインピーダンスが高なるようにするためのインピーダンスアッパが、バイパスされた前記電力供給配線に設けられていることを特徴とする請求項６または７に記載の電力線通信システム。
【発明の詳細な説明】
【技術分野】
【０００１】
本発明は、電力線を利用してデータ伝送を行う電力線通信システム関し、特に、電力線に配線ダクトシステムを用いた電力線通信システムに関する。
【背景技術】
【０００２】
従来、電力線を通じて電力線通信（Power Line Communication）により情報信号を送受信する電力線通信機器を用い、宅内に配線された電力線を利用して情報信号を送受信する電力線通信システムが提案されている。この電力線通信システムによれば、家屋やオフィスに配線されている電源線を利用して通信を行うため、別個の配線を行うことなく、通信が可能となる。
【０００３】
しかし、この電力線通信システムにおいて信号の取り出し口となるコンセントから遠い場所に、通信を行う機器、例えばパソコンを設置した場合には、コンセントからパソコン等まで長く通信線を伸ばすこととなり、通信品質上、安全上および美観上問題となりうる。
【０００４】
そこで、従来使用されている配線ダクトシステムを電力線に用いた電力線通信システムが考えられている。配線ダクトシステムは建物の壁、天井等に配設される配線ダクトと、配線ダクトに対して着脱自在に接続されるコンセントプラグとを備えている。配線ダクトは横長のダクト本体を有し、ダクト本体の前面には、内部の電源スペースと外部とを連通する連通孔が長手方向に沿って形成されており、上記電源スペースには商用電源を給電するための導体が配設されている。一方、コンセントプラグは、連通孔を通して後部をダクト本体の内部に嵌め込んだ状態で配線ダクトに取着され、配線ダクトに取着した状態において配線ダクトの導体から電源コンセントに商用電源が供給されるようになっている。而して、この配線システムでは、ダクト本体の長手方向における任意の位置にコンセントプラグを取り付けることができ、電気機器の設置場所の近くにコンセントプラグを取り付けることで、電気機器までの配線を短い距離で行えるようになっている。このシステムによると、コンセントプラグは配線ダクトの所望の位置に取り付けることができるので、パソコン等の通信機器からコンセントプラグまでの配線距離を短くすることができる。更にこのコンセントプラグにＬＡＮポート等を併設し、別個のＬＡＮ配線を不要とする技術も提示されている（例えば、特許文献１参照）。この技術によると、コンセントプラグでは、プロトコル変換部が電力線搬送通信部とＬＡＮ接続ポートとの間でプロトコル変換を行っているので、電力線搬送通信の機能を持たないローカルエリアネットワークの通信機器をＬＡＮ接続ポートに接続すれば、専用のＬＡＮ配線を施工しなくても電力線を利用して情報通信を行えるから、配線の数を減らしてコストダウンが図れるという効果がある。またコンセントプラグは、配線ダクトの表面に長手方向に沿って形成された連通孔を通して配線ダクトの内部に一部を挿入した状態で、配線ダクトに対して着脱自在に取着されるので、ＬＡＮ接続ポートに接続される通信機器の近くにコンセントプラグを取り付けることで、通信機器までの配線距離を短くできるという効果もあると記載されている。
【特許文献１】特開２００７−１７４６９９
【発明の開示】
【発明が解決しようとする課題】
【０００５】
配線ダクトシステムにおいてはコンセントプラグを配線ダクト上に取り付けることによって、照明機器等の電気機器を配線ダクト上の任意の箇所に接続することができる。しかし、通信機器の通信経路間にこれら電気機器が接続された場合、接続部が通信経路の分岐となり、通信信号が分岐より電気機器を介して流れてしまい、目的とする通信機器間に流れる信号が減衰してしまうという問題点が生じうる。
【０００６】
本発明はかかる実情を鑑みてなされたもので、配線ダクトシステムを電力線に用いた電力線通信システムであって、電気機器を、配線ダクト上の通信機器の通信経路間に取り付けた場合おいて、通信信号が電気機器に流れることを抑制することにより、通信機器間に流れる通信信号の減衰を抑制することのできる電力線通信システムを提供することを目的とする。
【課題を解決するための手段】
【０００７】
本発明にかかる電力線通信システムは、電力供給を受ける電気機器と、通信信号を送受信するための複数の通信機器と、前記電気機器および前記複数の通信機器を任意の位置に接続することが可能であるとともに、前記電気機器に電力を供給するための電力供給配線を内蔵した配線ダクトを有する電力線通信システムである。また、前記電気機器が配線ダクトに接続される箇所を、前記通信信号がバイパスするための信号バイパス部材を備えることを特徴とする。
【０００８】
上記構成によると、電気機器が配線ダクトに接続される箇所を、通信信号がバイパスするための信号バイパス部材を備えるため、通信信号を信号バイパス部材に流すことにより、通信信号が電気機器に流れることを抑制する。従って、通信機器間に流れる通信信号の減衰を抑制することができる。
【０００９】
本発明にかかる電力線通信システムにおいて、前記信号バイパス部材は、前記通信信号がバイパスするための経路となるケーブル配線と、前記ケーブル配線を前記配線ダクトに接続するダクト用ケーブル接続プラグとを備えることが好ましい。
【００１０】
上記構成によると、信号バイパス部材は、通信信号がバイパスするための経路となるケーブル配線と、ケーブル配線を配線ダクトに接続するダクト用ケーブル接続プラグとを備えるため、汎用かつ安価な構成で、信号バイパス部材を構成することができる。また、ケーブル配線にフレキシブルなものを使用すれば、配線ダクトの形状や、設置状態に制約されず信号バイパス部材を構成することができる。
【００１１】
本発明にかかる電力線通信システムにおいて、前記信号バイパス部材は、前記通信信号がバイパスするための経路となるとともに配線ダクトと同様の構成を有するバイパス配線ダクトと、前記バイパス配線ダクトを前記配線ダクトに接続するダクト連結具とを備えることも好ましい。
【００１２】
上記構成によると、信号バイパス部材は、通信信号がバイパスするための経路となるとともに配線ダクトと同様の構成を有するバイパス配線ダクトと、バイパス配線ダクトを配線ダクトに接続するダクト連結具とを備える。従って、汎用の配線ダクトをバイパス配線ダクトとして使用すれば、設置も通常の配線ダクトの設置と同様にできるため、汎用部材を用いかつ容易にバイパス配線ダクトを設けることができる。また、バイパス配線ダクトと配線ダクトとは、ダクト連結具で接続されるため、容易に接続が可能である。更に、信号バイパス部材は配線ダクトと同じ形状のバイパス配線ダクトと、ダクト連結具を備えるので、外観上も特に違和感のある部材が表面に現れることなく、すっきりとした美観にすることができる。
【００１３】
本発明にかかる電力線通信システムにおいて、前記信号バイパス部材は、前記通信信号が通過するとともに電力電流は通過しない電力電流不導部材を備えることが好ましい。
【００１４】
上記構成によると、信号バイパス部材は、通信信号が通過するとともに電力電流は通過しない電力電流不導部材を備えるため、信号バイパス部材に電力電流が流れない。従って、信号バイパス部材の着脱時においても信号バイパス部材を介して電力電流が人体に流れることはないため、安全性が高い。また、通信信号は通過するため、通信信号を信号バイパス部材に流すことは可能であり、電気機器に流れることを抑制する。
【００１５】
なお、ここで「電力電流は通過しない」とは人体に流れた場合においても人体に何ら影響を与えない程度の電力が流れる場合を含む概念であり、完全絶縁状態のみを示すものではない。
【００１６】
例えば、電源電力が所定の周波数を有する交流であり、通信信号が電源電力と異なる周波数帯域を有する交流であった場合、通信信号の有する周波数帯域で、インピーダンスが低く、電源電力が有する周波数において高インピーダンスを示すコンデンサが電流不導部材として使用できる。
【００１７】
本発明にかかる電力線通信システムは、前記通信信号が所定の周波数帯域の交流で通信されており、前記信号バイパス部材が接続されている箇所間の前記電力供給配線の前記周波数帯域におけるインピーダンスが、前記信号バイパス部材の前記周波数帯域におけるインピーダンスに比して高くなるようにするためのインピーダンスアッパが、前記配線ダクトの通信信号がバイパスされる区間に備えられていることが好ましい。
【００１８】
上記構成によると、インピーダンスアッパが、前記配線ダクトの通信信号がバイパスされる区間に備えられているため、通信信号が通信される周波数帯域のインピーダンスが、信号バイパス部材より大きくなっている。従って、通信信号は信号バイパス部材に多く流れるため、通信信号が電気機器に流れることを一層抑制する。従って、通信機器間に流れる通信信号の減衰を一層抑制することができる。
【００１９】
本発明にかかる電力線通信システムは、電力供給を受ける電気機器と、通信信号を送受信するための複数の通信機器と、前記電気機器および前記複数の通信機器を任意の位置に接続することが可能であるとともに、前記電気機器に電力を供給するための複数の電力供給配線を内蔵した配線ダクトと、前記電力供給配線のうち1つの電力供給配線と他の電力供給配線とを接続する電力供給配線接続器具とを備える。また、前記電気機器が配線ダクトに接続される箇所を前記通信信号がバイパスするための信号バイパス経路が、前記他の電力供給配線と前記電力供給配線接続器具とによって構成される。
【００２０】
上記構成によると、電気機器が配線ダクトに接続される箇所を通信信号がバイパスするための信号バイパス経路が構成されているため、通信信号が電気機器に流れることを抑制する。従って、通信機器間に流れる通信信号の減衰を抑制することができる。また、この信号バイパス経路は、他の電力供給配線と電力供給配線接続器具とによって構成されるため、信号バイパス経路を設けるための別個のケーブル配線やバイパス配線ダクトを設ける必要がない。
【００２１】
本発明にかかる電力線通信システムは、前記信号バイパス経路内に、前記通信信号が通過するとともに電力電流は通過しない電力電流不導部材を備えることが好ましい。
【００２２】
上記構成によると、信号バイパス経路内に、通信信号が通過するとともに電力電流は通過しない電力電流不導部材を備えるため、接続器具の取り付け時および取り外し時に電力電流が人体に流れる等の事故が生じることが無く、安全性が高い。また、通信信号は通過するため、通信信号を接続器具に流すことは可能であり、電気機器に流れることを抑制する。
【００２３】
なお、ここで「電力電流は通過しない」とは人体に流れた場合においても人体に何ら影響を与えない程度の電力が流れる場合を含む概念であり、完全絶縁状態のみを示すものではない。
【００２４】
例えば、電源電力が所定の周波数を有する交流であり、通信信号が電源電力と異なる周波数帯域を有する交流であった場合、通信信号の有する周波数帯域で、インピーダンスが低く、電源電力が有する周波数において高インピーダンスを示すコンデンサが電流不導部材として使用できる。
【００２５】
本発明にかかる電力線通信システムは、前記通信信号が所定の周波数帯域の交流で通信されており、前記信号バイパス経路の前記周波数帯域におけるインピーダンスに比して、  バイパスされた前記電力供給配線の前記周波数帯域におけるインピーダンスが高くなるようにするためのインピーダンスアッパが、バイパスされた前記電力供給配線に設けられていることが好ましい。
【００２６】
上記構成によると、インピーダンスアッパが、バイパスされた前記電力供給配線に設けられているため、通信信号がバイパスされた前記電力供給配線を通過することが一層抑制される。従って、通信信号は信号バイパス経路に一層多く流れるため、通信信号が電気機器に流れることが一層抑制する。従って、通信機器間に流れる通信信号の減衰を一層抑制することができる。
【発明の効果】
【００２７】
本発明によれば、配線ダクトシステムを電力線に用いた電力線通信システムであって、電気機器を、配線ダクト上の通信機器の通信経路間に取り付けた場合おいて、通信信号が電気機器に流れることを抑制することにより、通信機器間に流れる通信信号の減衰を抑制することのできる電力線通信システムを提供することができる。
【発明を実施するための最良の形態】
【００２８】
（第１の実施形態）
本発明を具体化した電力線通信システムの一実施形態を図１〜図１１を用いて、以下に説明する。
【００２９】
第1の実施形態における電力線通信システムの回路図である図１に示すように、配線ダクトに内蔵された電力供給配線１３を使用する電力線通信システムであって、通信信号を送受信するための通信機器２や電力供給を受ける電気機器３を自在に接続できる。ここで、電力線通信システムとは、商用電源８から供給される電力供給用の交流の周波数と異なる帯域の通信信号を用いることによって、電力線を用いて通信を行う通信システムである。図１においては通信機器２間で通信が行われている。この経路途上に電気機器３が接続されているため、接続部１１，１２が、通信経路の分岐となっている。この分岐をバイパスするための信号バイパス部材４が、電気機器に対して電力供給配線１３の１極ごとに１つずつ２箇所に設けられている。信号バイパス部材４は電気機器３が接続される配線上の箇所を挟む前後２点の接続点４１および接続点４２において電力供給配線１３に接続される。また、通信信号が通過するとともに電力電流は通過しない電力電流不導部材としてのコンデンサ４３を、この信号バイパス部材４は備えているため、通信信号は信号バイパス部材４に容易に流れるが、電源電流は殆ど流れない。即ち、このコンデンサ４３は、通信信号の周波数帯域において低インピーダンスであり、供給電力の周波数において高インピーダンスである特性を有するコンデンサであるため、通信信号に対しては殆ど障害とならないが、電源電流に対しては大きな抵抗となるためである。従って、仮に接続点４１と接続点４２との間に電位差が生じていた場合にも、信号バイパス部材４の着脱時に、電力電流が人体に流れる等の事故が生じることが無く、安全性が高い。なお、ここで「電力電流が流れない」とは人体に流れた場合においても人体に何ら影響を与えない程度の電力が流れる場合を含む概念であり、完全絶縁状態のみを示すものではない。
【００３０】
更に、接続点４１と接続点４２との間の電力供給配線１３には、通信信号の周波数帯域におけるインピーダンスを上昇させるインピーダンスアッパとしてのフェライトコア５が巻きつけられている。このフェライトコア５によって、接続点４１と接続点４２との間における電力供給配線１３の通信信号の周波数帯域におけるインピーダンスが、信号バイパス部材４の通信信号の周波数帯域におけるインピーダンスに比して高くなるため、接続点４１と接続点４２との間における電力供給配線１３に通信信号が流れることが抑制される。従って、信号バイパス部材４に一層多くの通信信号が流れ、通信信号が電気機器３に流れて減衰することが抑制される。
【００３１】
図２（ａ）〜（ｄ）に示すように、電力線通信システムに使用される配線ダクト１は、アルミニウムなどの金属により両端が開口した扁平な角筒状に形成され、表面が絶縁性の合成樹脂でコーティングされている。この配線ダクト１において天井などに固定される部分を被固定部１４、被固定部に対向する部分を底部１５、被固定部１４と底部１５を連結する部分を連結部１６とする。この底部１５には、連通孔１７が長手方向に沿って開口している。また、連結部１６の内周面からは内方に向ってフランジ１８が延設されており、フランジ１８の内方の端部には商用電源を給電するための長尺の電力供給配線１３が長手方向に沿って配置されている。従って、この配線ダクト１に電気的に機器を接続する場合は、接続される機器の電気接点を連通孔１７を介してダクト本体内部に挿入し電力供給配線１３に接続する。
【００３２】
配線ダクト１に接続される電気機器は、例えば、図３（ａ）〜（ｄ）に示すような電源コンセントプラグ３０を介して接続される。略直方体の形状のこの電源コンセントプラグ３０の一方面には、配線ダクト１の連通孔１７を通して配線ダクト１の内部に挿入される筒状の回転体２６が回転自在に設けられている。回転体２６の設けられている面の反対面には電源供給用の電源コンセント２１が設けられているとともに、回転体２６を回転させるための摘み２７が配置されている。回転体２６の周面には、回転体２６の中心部を挟んで対称な位置に電気接点である一対の栓刃（給電部材）２８と、電源コンセントプラグ３０を配線ダクト１に係止させるための係止刃２２が突設されている。この摘み２７の回転操作に応じて、図４（ａ）に示すように、一対の栓刃２８および係止刃２２が配線ダクト１の長手方向と略平行な方向に並ぶ状態と、図４（ｂ）に示すように、配線ダクト１の短手方向と略平行な方向に並ぶ状態とを選択できるようになっている。
【００３３】
図５は回転体２６を介して電源コンセントプラグ３０を配線ダクト１に嵌合支持する手順を示している。図５（ａ）に示すように、栓刃２８および係止刃２２の長辺が配線ダクト１の長手方向と略平行になるようにして、矢印の方向に回転体２６を配線ダクト１に挿入する。この場合、栓刃２８及び係止刃２２の短辺の長さが、配線ダクト１の連通孔１７の幅より小さいので係止刃２２まで挿入することができる。次に、図５（ｂ）に示すように、配線ダクト１の連通孔１７両側の受け部１２ａより内側に係止刃２２が挿入された状態で、摘み２７を用いて回転体２６を矢印の方向へ９０度回転させる。その結果、図５（ｃ）に示すように、係止刃２２が受け部１２ａによって支持されることで回転体２６が配線ダクト１に嵌合支持され、さらに栓刃２８は電力供給配線１３と接触し、電気的に接続される。
【００３４】
配線ダクト１に接続される通信機器、例えばパソコン等は、図６に示すような通信機器接続プラグ２０を介して接続される。略直方体の形状のこの通信機器接続プラグ２０の一方面には、配線ダクト１の連通孔１７を通して配線ダクト１の内部に挿入される筒状の回転体２６が回転自在に設けられている。回転体２６の設けられている面の反対面には通信信号用接続ポート２３および電源供給用の電源コンセント２１が設けられているとともに、回転体２６を回転させるための摘み２７が配置されている。なお、通信機器接続プラグ２０の回転体２６の構造は電源コンセントプラグ３０の回転体２６の構造と同じであるためその説明を省略する。また、通信機器接続プラグ２０を配線ダクト１に嵌合支持する手順については、上述の電源コンセントプラグ３０を配線ダクト１に嵌合支持する手順と同様であるためその説明を省略する。
【００３５】
また通信機器接続プラグ２０の器体には、図７に示すような回路が収納されている。すなわち、通信機器接続プラグ２０は、一対の栓刃２８と、栓刃２８を介して供給される商用電源を電気機器に供給するための電源コンセント２１と、通信信号用接続ポート２３と、栓刃２８を介して接続される電力供給配線１３を通して電力線を用いてデータを送受信する電力線通信回路３３と、電力線通信回路３３から入力されるデータをプロトコル変換して通信信号用接続ポート２３に出力するとともに、通信信号用接続ポート２３から入力されるデータをプロトコル変換して電力線通信回路３３に出力するプロトコル変換回路３４とを備えている。
【００３６】
また電源コンセント２１に電気機器が接続されると、電源に重畳された通信信号が電気機器側にも流れ、通信機器間に流れる信号が減衰してしまう。そこで、栓刃２８と電源コンセント２１との間の電源経路に、通信信号の周波数帯域に対してインピーダンスが高く、商用電源周波数に対してはインピーダンスが低いインピーダンスアッパ３５を備えている。従って、電源コンセント２１に電気機器が接続されても、電気機器が接続された電源電流の供給経路のインピーダンスが通信信号の周波数帯域に対して高くなるため、通信信号が電気機器に流れて減衰することが抑制される。
【００３７】
図９に示すように、信号バイパス部材４は配線ダクトに接続する接続器具としてのダクト用ケーブル接続プラグ４０と、ダクト用ケーブル接続プラグ４０間を接続するケーブル配線４４によって構成される。図１０に示すように、このダクト用ケーブル接続プラグ４０の一方面には、配線ダクト１の連通孔１７を通して配線ダクト１の内部に挿入される筒状の回転体２６が回転自在に設けられている。回転体２６の設けられている面の反対面にはケーブル配線接続用のコンセントが設けられているとともに、回転体２６を回転させるための摘み２７が配置されている。回転体２６の構造およびダクト用ケーブル接続プラグ４０を配線ダクト１に嵌合支持する手順については電源コンセントプラグ３０の場合と同じであるため、説明を省略する。また、ダクト用ケーブル接続プラグ４０のコンセント２１ａは電源コンセント２１と類似しているが、差込用の穴が極ごとに異なる形状となっている。極を誤ってケーブルをつなぐことを防止するためである。また、図示していないが、上述した電力電流不導部材としてのコンデンサ４３を栓刃２８からコンセント２１ａまでの経路中に備えている。
【００３８】
また、上述のように、接続点４１と接続点４２との間の電力供給配線１３には配線ダクト1を介して、通信信号の周波数帯域におけるインピーダンスを上昇させるインピーダンスアッパとしてのフェライトコア５が巻きつけられている。このフェライトコア５は、例えば図８（ａ）,（ｂ）に示すように、配線ダクト1の外側から巻き始めたフェライトコア５の一方の端部を、連通孔１７から配線ダクト１内部に曲げ込むようにして、電力供給配線１３それぞれに巻きつけることができる。
【００３９】
一方、ケーブル配線４４は通常の電源配線用のプラグ付ケーブルと略同様のフレキシブルな被服導線が使用できるが、差込プラグ部分の形状がコンセントに対応していることが必要である。
【００４０】
ケーブル配線４４は通常の電源配線用のプラグ付ケーブルと同様のフレキシブルなケーブルであるため、配線時の自由度が高い。例えば、図１１に示すように、配線ダクトによる配線が実際には迂遠な経路を有している場合でも、ダクト用ケーブル接続プラグ４０同士を必要最小限の長さのケーブル配線４４でつなぐことが可能である。
【００４１】
上記実施形態の電力線通信システムによれば、以下のような効果を得ることができる。
【００４２】
（１）上記電力線通信システムによると、電気機器３が配線ダクト１に接続される箇所を１１，１２を通信信号がバイパスするための信号バイパス部材４を備えるため、通信信号を信号バイパス部材４に流すことにより、通信信号が電気機器３に流れることを抑制する。従って、通信機器２間に流れる通信信号の減衰を抑制することができる。
【００４３】
（２）上記電力線通信システムによると、信号バイパス部材４は、通信信号がバイパスするための経路となるケーブル配線４４と、ケーブル配線４４を配線ダクトに接続するダクト用ケーブル接続プラグ４０とを備えるため、汎用かつ安価な構成で、信号バイパス部材４を構成することができる。また、ケーブル配線にフレキシブルなケーブルを使用しているため配線ダクト１の形状や、設置状態に制約されず信号バイパス部材４を構成することができる。
【００４４】
（３）上記電力線通信システムによると、信号バイパス部材４は、通信信号が通過するとともに電力電流は通過しない電力電流不導部材であるコンデンサ４３を備えるため、信号バイパス部材４に電力電流が流れない。従って、信号バイパス部材４の着脱時においても信号バイパス部材４を介して電力電流が人体に流れることはないため、安全性が高い。また、通信信号は通過するため、通信信号を信号バイパス部材４に流すことは可能であり、電気機器３に通信信号が流れることを抑制する。
【００４５】
（４）上記電力線通信システムによると、インピーダンスアッパとして働くフェライトコア５が、配線ダクト１の通信信号がバイパスされる区間、即ち接続点４１から接続点４２までの間に備えられているため、通信信号が通信される周波数帯域のインピーダンスが、信号バイパス部材より大きくなっている。従って、通信信号は信号バイパス部材４に多く流れるため、通信信号が電気機器に流れることを一層抑制する。従って、通信機器間に流れる通信信号の減衰を一層抑制することができる。
【００４６】
なお、上記実施形態は以下のように変更してもよい。
【００４７】
・上記実施形態において、ケーブル接続用のコンセント２１ａは、極ごとに差し込み穴の形状の異なる差込口であるが、他の構成でも良い。即ち、極を誤ってケーブル配線４４をつなぐことを防止できる方法であれば他の方法でよい。例えばケーブル配線４４のプラグと差込口とを極ごとに色分けするなどの方法を取っても良い。
【００４８】
・上記実施形態において、通信信号が電気機器に流れることを抑制するためにインピーダンスアッパとしてフェライトコア５が電力供給配線１３に巻きつけられているが、他の構成であっても良い。即ち、電気機器に通信信号が流れることが抑制されればフェライトコア５を電力供給配線１３に巻きつける方法と異なる方法をとっても良いし、電気機器のインピーダンスが高ければ割愛しても良い。
【００４９】
・上記実施形態において、ダクト用ケーブル接続プラグ４０は電力電流不導部材としてのコンデンサ４３を栓刃２８からコンセント２１ａまでの経路中に備えているが、他の構成であっても良い。即ち、信号バイパス部材４内にコンデンサ４３があればよいので、ダクト用ケーブル接続プラグ４０とケーブル配線４４との間に別個の部材として挿入しても良いし、ケーブル配線４４中に備えても良い。
【００５０】
・また、安全上の問題が無ければコンデンサ４３を割愛しても良い。即ち、ダクト用ケーブル接続プラグ４０およびケーブル配線４４の形状等の工夫により安全性が確保できれ
ば、コンデンサ４３を割愛することにより構造を簡略化できる。
【００５１】
（第２の実施形態）
次に、本発明を具体化した電力線通信システムの第２の実施形態を図１２にしたがって説明する。なお、第２の実施形態は、第１の実施形態の信号バイパス部材４の構成を変更したのみの構成であるため、同様の部分についてはその詳細な説明を省略する。また図１および図８も、併せて使用する。
【００５２】
図１および図１２に示すように、第２の実施形態における信号バイパス部材４は、通信信号が電気機器３の接続部分をバイパスするための経路となるバイパス配線ダクト５４と、バイパス配線ダクト５４を配線ダクト１に接続するダクト連結具５０とを備えている。このダクト連結具５０の一方面の端部には、配線ダクト１の連通孔１７を通して配線ダクト１の内部に挿入される筒状の回転体２６が回転自在に設けられている。また同じ面の他方の端部にはバイパス配線ダクト５４の連通孔５２を通して配線ダクト１の内部に挿入される筒状の回転体５６が回転自在に設けられている。回転体２６および回転体５６の設けられている面の反対面には、回転体２６および回転体５６を回転させるための摘み２７および摘み５７が配置されている。また、図示していないが、上述した電力電流不導部材としてのコンデンサ４３を回転体２６から回転体５６までの通信信号の経路中に備えている。回転体２６の構造およびダクト連結具５０を配線ダクト１に嵌合支持する手順については電源コンセントプラグ３０の場合と同じであるため、説明を省略する。また回転体５６の構造は回転体２６と同じであるとともに、ダクト連結具５０をバイパス配線ダクト５４に嵌合支持する手順についても同様であるため、説明を省略する。
【００５３】
また、上述のように、接続点４１と接続点４２との間の電力供給配線１３には配線ダクト1を介して、通信信号の周波数帯域におけるインピーダンスを上昇させるインピーダンスアッパとしてのフェライトコア５が巻きつけられている。このフェライトコア５は、第１の実施形態と同様に、図８（ａ）,（ｂ）に示すように、配線ダクト1の外側から巻き始めたフェライトコア５の一方の端部を、連通孔１７から配線ダクト１内部に曲げ込むようにして、電力供給配線１３それぞれに巻きつけることができる。
【００５４】
ここで、バイパス配線ダクト５４は通常の配線ダクト１と同じ部材が使用できるため、特別に開発する必要がない。また、設置も通常の配線ダクト１の設置と同様にできるため、汎用かつ安価に信号バイパス部材を設けることができる。更に、信号バイパス部材は配線ダクト１と同じ形状のバイパス配線ダクト５４と、ダクト連結具５０を備えるので、外観上も特に違和感のある部材が表面に現れることなく、すっきりとした美観とすることができる。
【００５５】
従って、第２の実施形態によれば、第１の実施形態に記載の効果に加えて以下の効果を得ることができる。
【００５６】
（１）第２の実施形態では、信号バイパス部材４は、通信信号がバイパスするための経路となるとともに配線ダクト１と同様の構成を有するバイパス配線ダクト５４と、バイパス配線ダクト５４を配線ダクトに接続するダクト連結具５０とを備える。従って、汎用の配線ダクトをバイパス配線ダクト５４として使用すれば、設置も通常の配線ダクト１の設置と同様にできるため、汎用部材を用いかつ容易にバイパス配線ダクト５４を設けることができる。また、バイパス配線ダクト５４と配線ダクト１とは、ダクト連結具５０で接続されるため、容易に接続が可能である。更に、信号バイパス部材４は配線ダクト１と同じ形状のバイパス配線ダクト５４と、ダクト連結具５０を備えるので、外観上も特に違和感のある部材が表面に現れることなく、すっきりとした美観にすることができる。
【００５７】
なお、本実施形態は以下のように変更してもよい。
【００５８】
・第２の実施形態においては、バイパス配線ダクト５４とダクト連結具５０とは別体であるが、例えば図１２に示すような形状の信号バイパス部材４による一体型としても良い。この場合バイパス配線ダクト５４とダクト連結具５０とを接続する必要がないため、取り付けが一層容易となる。
【００５９】
・第２の実施形態において、通信信号が電気機器に流れることを抑制するためにインピーダンスアッパとしてフェライトコア５が電力供給配線１３に巻きつけられているが、他の構成であっても良い。即ち、電気機器に通信信号が流れることが抑制されればフェライトコア５を電力供給配線１３に巻きつける方法と異なる方法をとっても良いし、電気機器３のインピーダンスが高ければ割愛しても良い。
【００６０】
・第２の実施形態において、ダクト連結具５０は電力電流不導部材としてのコンデンサ４３を備えているが、他の構成であっても良い。即ち、信号バイパス部材４内にコンデンサ４３があればよいので、ダクト連結具５０とバイパス配線ダクト５４との間に別個の部材として挿入しても良いし、バイパス配線ダクト５４に備えても良い。
【００６１】
・また、安全上の問題が無ければコンデンサを割愛しても良い。即ち、ダクト連結具５０およびバイパス配線ダクト５４の形状等の工夫により安全性が確保できれば、コンデンサ４３を割愛することにより構造を簡略化できる。
【００６２】
（第３の実施形態）
次に、本発明を具体化した電力線通信システムの第３の実施形態を図１３〜図１５にしたがって説明する。なお、第３の実施形態は第１の実施形態および第２の実施形態の回路の構成を変更したのみの構成であるため、同様の部分についてはその詳細な説明を省略する。図８も併せて使用する。
【００６３】
図１３に示すように、配線ダクトを用いた電力線通信システムは、配線ダクトに内蔵された電力供給配線１３を使用する電力線通信システムであって、通信信号を送受信するための通信機器２や電力供給を受ける電気機器３を自在に接続できる。ここで、電力線通信システムとは、電力供給用の交流の周波数と異なる帯域の通信信号を用いることによって、電力線を用いて通信を行う通信システムである。図１３は複数の電力供給配線１３を内蔵した配線ダクト１、特に１極あたり２線の電力供給配線１３を有する、図１４に示す配線ダクト７を用いた場合の電力線通信システムの実施形態を示している。図１３においては通信機器２間で通信が行われている。この通信経路途上に電気機器３が接続されているため、接続部１１，１２が、通信経路の分岐となっている。この分岐をバイパスするための信号バイパス経路５５が、図１３中に２重破線で示したように、電気機器３に対して電力供給配線１３の１極ごとに１つずつ２箇所に設けられている。信号バイパス経路５５は電気機器３が接続される配線上の箇所を挟む前後２点の接続点４１および接続点４２にそれぞれ電力供給配線接続器具としての電力供給配線接続プラグ７０を接続することにより構成される。即ち電力供給配線接続プラグ７０と電気機器３が接続されていない側の電力供給配線１３とにより信号バイパス経路５５が構成されるのである。また、通信信号が通過するとともに電力電流は通過しない電力電流不導部材としてのコンデンサ４３を、この信号バイパス経路５５は有しているため、通信信号は信号バイパス経路５５に容易に流れるが、電源電流は殆ど流れない。即ち、このコンデンサ４３は、通信信号の周波数帯域において低インピーダンスであり、供給電力の周波数において高インピーダンスである特性を有するコンデンサであるため、通信信号に対しては殆ど障害とならないが、電源電流に対しては大きな抵抗となるためである。従って、仮に接続点４１と接続点４２との間に電位差が乗じていた場合にも、信号バイパス経路５５を取り付ける場合において、電力電流が人体に流れる等の事故が生じることが無く、安全性が高い。なお、ここで「電力電流が人体に流れない」とは人体に流れた場合においても人体に何ら影響を与えない程度の電力が流れる場合を含む概念であり、完全絶縁状態のみを示すものではない。
【００６４】
更に、接続点４１と接続点４２との間の電力供給配線１３には、通信信号の周波数帯域におけるインピーダンスを上昇させるインピーダンスアッパとしてのフェライトコア５が巻きつけられている。このフェライトコア５によって、接続点４１と接続点４２との間における電力供給配線１３の通信信号の周波数帯域におけるインピーダンスが、信号バイパス部材４の通信信号の周波数帯域におけるインピーダンスに比して高くなるため、接続点４１と接続点４２との間における電力供給配線１３に通信信号が流れることが抑制される。従って、信号バイパス経路５５に一層多くの通信信号が流れ、通信信号が電気機器３に流れて減衰することが抑制される。
【００６５】
第３の実施形態における電力線通信システムは、電力供給配線接続プラグ７０により同極の電力供給配線１３同士を接続するとともに、電力供給線接続器具と接続された同極の電力供給配線１３とで信号バイパス経路５５を構成しすることに特徴がある。従って、別個の信号バイパス部材４を用いる必要がない点が、第１の実施形態および第２の実施形態と異なる。
【００６６】
図１４（ａ）〜（ｄ）に示すように、この電力線通信システムに使用される配線ダクト１は、アルミニウムなどの金属により両端が開口した扁平な角筒状に形成され、表面が絶縁性の合成樹脂でコーティングされている。この配線ダクト１において天井などに取り付ける部分を被固定部１４、被固定部１４に対向する部分を底部１５、被固定部１４と底部１５を連結する部分を連結部１６とする。この底部１５には、連通孔１７が長手方向に沿って開口している。また、連結部１６の内周面からは内方に向ってそれぞれ２組のフランジ１８が延設されており、フランジ１８の内方の端部には商用電源を給電するための長尺の電力供給配線１３が長手方向に沿って２組のフランジ１８のそれぞれに配置されている。従って、この配線ダクト１に電気的に機器を接続する場合は、接続される機器の電気接点を連通孔１７を介してダクト本体内部に挿入し電力供給配線１３に接続する。このとき被固定部１４側の１組の電力供給配線１３に接続することも、底部１５側の１組の電力供給配線１３に接続することも可能である。
【００６７】
配線ダクト１に接続される電気機器および電源コンセントプラグについては第１の実施形態および第２の実施形態と同様であるので図示および説明を省略する。但し、電源コンセントプラグの有する栓刃は、被固定部１４側の１組の電力供給配線１３に接続する構造とすることも、底部１５側の１組の電力供給配線１３に接続する構造とすることも可能である。
【００６８】
また、配線ダクトに接続される通信機器および通信機器接続プラグについても第１の実施形態および第２の実施形態と同様であるので図示および説明を省略する。但し、通信機器接続プラグの有する栓刃は、被固定部１４側の１組の電力供給配線１３に接続する構造とすることも、底部１５側の１組の電力供給配線１３に接続する構造とすることも可能である。
【００６９】
上述したように、同極の電力供給配線１３同士を接続する電力供給線接続器具としては、図１５に示すような電力供給配線接続プラグ７０が例示される。図１５に示すように、略直方体の形状のこの電力供給配線接続プラグ７０の一方面には、配線ダクト１の連通孔１７を通して配線ダクト１の内部に挿入される筒状の回転体２６が回転自在に設けられている。回転体２６の設けられている面の反対面には回転体２６を回転させるための摘み２７が配置されている。回転体２６の周面には、回転体２６の中心部を挟んでそれぞれ対称な位置に２組の栓刃（給電部材）２８と、電源コンセントプラグ３０を配線ダクト１に係止させるための係止刃２２が突設されている。この摘み２７の回転操作に応じて、２組の栓刃２８および係止刃２２が配線ダクト１の長手方向と略平行な方向に並ぶ状態と、配線ダクト１の短手方向と略平行な方向に並ぶ状態とを選択できるようになっている。
【００７０】
この２組の栓刃のそれぞれ同極同士が、電力電流不導部材としてのコンデンサ４３を介して接続されている。従って、摘み２７を回転操作して係止刃２２が配線ダクト１の短手方向と略平行な方向に並ぶ状態にした場合には電力供給配線１３の同極同士をコンデンサ４３を介して接続することが可能となる。従って別個の信号バイパス経路５５を設けることなしに図１３に点線矢印で示した通信信号用の閉回路を構成することが可能となる。
【００７１】
従って、第３の実施形態によれば、第１の実施形態に記載の効果に加えて以下の効果を得ることができる。
【００７２】
（１）第３の実施形態では、電気機器３が配線ダクト１に接続される箇所を通信信号がバイパスするための信号バイパス経路５５が構成されているため、通信信号が電気機器３に流れることを抑制する。従って、通信機器２間に流れる通信信号の減衰を抑制することができる。また、この信号バイパス経路５５は、他の電力供給配線１３と電力供給配線接続プラグ７０とによって構成されるため、信号バイパス経路５５を設けるための別個のケーブル配線４４やバイパス配線ダクト５４を設ける必要がない。
【００７３】
なお、本実施形態は以下のように変更してもよい。
【００７４】
・第３の実施形態において、通信信号が電気機器に流れることを抑制するためにインピーダンスアッパとしてフェライトコア５を電路に巻きつけているが、他の構成であっても良い。即ち、電気機器に通信信号が流れることが抑制されればフェライトコア以外の方法をとっても良いし、電気機器のインピーダンスが高ければ割愛しても良い。
【００７５】
・第３の実施形態において、電力供給配線接続プラグ７０は電力電流不導部材としてのコンデンサを備えているが、他の構成であっても良い。即ち、安全上の問題が無ければコンデンサを割愛しても良い。即ち、電力供給配線接続プラグ７０の形状等の工夫により安全性が確保できれば、コンデンサを割愛することにより構造を簡略化できる。
【産業上の利用可能性】
【００７６】
本発明は、電力線を利用してデータ伝送を行う電力線通信システム関し、特に、電力線に配線ダクトシステムを用いた電力線通信システムに広く利用可能である。
【図面の簡単な説明】
【００７７】
【図１】本発明にかかる電力線通信システムの一実施形態について説明する図面であって、電力線通信システムの回路図である。
【図２】本発明にかかる電力線通信システムの一実施形態について説明する図面であって、（ａ）は配線ダクトの断面図であり、（ｂ）は配線ダクトの側面図であり、（ｃ）は配線ダクトの底面図であり、（ｄ）は配線ダクトの斜視図である。
【図３】本発明にかかる電力線通信システムの一実施形態について説明する図面であって、（ａ）は電源コンセントプラグの正面図であり、（ｂ）は電源コンセントプラグの側面図であり、（ｃ）は電源コンセントプラグの底面図であり、（ｄ）は電源コンセントプラグの斜視図である。
【図４】本発明にかかる電力線通信システムの一実施形態について説明する図面であって、（ａ）は電源コンセントプラグの栓刃および係止刃を、配線ダクトの長手方向と略平行な方向に向けた状態を示す模式図であり、（ｂ）は電源コンセントプラグの栓刃および係止刃を、配線ダクトの短手方向と略平行な方向に向けた状態を示す模式図である。
【図５】本発明にかかる電力線通信システムの一実施形態について説明する図面であって、（ａ）〜（ｃ）は電源コンセントプラグを配線ダクトに取り付ける方法を説明する図面である。
【図６】本発明にかかる電力線通信システムの一実施形態について説明する図面であって、通信機器接続プラグの斜視図である。
【図７】本発明にかかる電力線通信システムの一実施形態について説明する図面であって、通信機器接続プラグに収納されている回路のブロック図である。
【図８】本発明にかかる電力線通信システムの一実施形態について説明する図面であって、（ａ），（ｂ）は配線ダクトにフェライトコアが巻きつけられている状態を示す図である。
【図９】本発明にかかる電力線通信システムの一実施形態について説明する図面であって、信号バイパス部材が接続された状態を示す模式図である。
【図１０】本発明にかかる電力線通信システムの一実施形態について説明する図面であって、ダクト用ケーブル接続プラグの斜視図である。
【図１１】本発明にかかる電力線通信システムの一実施形態について説明する図面であって、ケーブル配線およびダクト用ケーブル接続プラグ取り付け状態を説明するための模式図である。
【図１２】本発明にかかる電力線通信システムの第２の実施形態について説明する図面であって、（ａ）は配線ダクトにダクト接続プラグおよびバイパス配線ダクトを取り付けた状態の底面図であり、（ｂ）は（ａ）の側面図であり、（ｃ）は配線ダクトの被固定面側からのダクト接続プラグおよびバイパス配線ダクトの斜視図である。
【図１３】本発明にかかる電力線通信システムの第３の実施形態について説明する回路図である。
【図１４】本発明にかかる電力線通信システムの第３の実施形態について説明する図面であって、（ａ）は配線ダクトの断面図であり、（ｂ）は配線ダクトの側面図であり、（ｃ）は配線ダクトの底面図であり、（ｄ）は配線ダクトの斜視図である。
【図１５】本発明にかかる電力線通信システムの第３の実施形態について説明する図面であって、（ａ）は電力供給配線接続プラグの正面図（一部断面図）であり、（ｂ）は電力供給配線接続プラグの側面図であり、（ｃ）は電力供給配線接続プラグの底面図であり、（ｄ）は電力供給配線接続プラグの斜視図である。
【符号の説明】
【００７８】
１…配線ダクト、２…通信機器、３…電気機器、４…信号バイパス部材、５…フェライトコア、７…配線ダクト、８… 商用電源、１１，１２…接続部、１３…電力供給配線、１４…被固定部、１５…底部、１６…連結部、１７…連通孔、１８…フランジ、２０…通信機器接続プラグ、２１…電源コンセント、２２…係止刃、２３…通信信号用接続ポート、２６…回転体、２７…摘み、２８…栓刃、３０…電源コンセントプラグ、３３…電力線通信回路、３４…プロトコル変換回路、３５…インピーダンスアッパ、４０…ダクト用ケーブル接続プラグ、４１…接続点、４２…接続点、４３…コンデンサ、４４…ケーブル配線、５０…ダクト連結具、５２…連通孔、５４…バイパス配線ダクト、５５…信号バイパス経路、５６…回転体、５７…摘み、７０…電力供給配線接続プラグ。
【図１】
2009272963.tif 000003
【図２】
2009272963.tif 000004
【図３】
2009272963.tif 000005
【図４】
2009272963.tif 000006
【図５】
2009272963.tif 000007
【図６】
2009272963.tif 000008
【図７】
2009272963.tif 000009
【図８】
2009272963.tif 000010
【図９】
2009272963.tif 000011
【図１０】
2009272963.tif 000012
【図１１】
2009272963.tif 000013
【図１２】
2009272963.tif 000014
【図１３】
2009272963.tif 000015
【図１４】
2009272963.tif 000016
【図１５】
2009272963.tif 000017